(57)【要約】【課題】未使用であるか否かを使用者が容易に判別できると共に、流通段階での衝撃や悪戯などによる内容物の予期せぬ吐出を抑制すること。【解決手段】内容物が収容された容器体２の口部２ａに装着される装着キャップ３と、装着キャップ３に上方付勢状態で下方移動可能に貫設されたステム４を有するポンプ５と、頂壁部６、及びこの頂壁部から下方に向けて延設されステムの上端部に装着される装着筒部７を有する押下ヘッド８と、を備え、装着筒部をステムの上端部に装着した状態で押下ヘッドを押下してステムを下方に移動させポンプを作動させることにより、内容物が移送されて押下ヘッドの吐出孔２０ａから吐出される吐出器１であって、装着キャップには、ステムの上端部を囲繞する囲繞筒部材１５が分離可能に設けられ、押下ヘッドは、装着筒部がステムの上端部から離脱した状態で囲繞筒部材に離脱可能に装着されている吐出器を提供する。【選択図】図１
2010202202.tif 000002
【特許請求の範囲】
【請求項１】
内容物が収容された容器体の口部に装着される装着キャップと、
前記装着キャップに上方付勢状態で下方移動可能に貫設されたステムを有するポンプと、
頂壁部、及びこの頂壁部から下方に向けて延設され前記ステムの上端部に装着される装着筒部を有する押下ヘッドと、
を備え、
前記装着筒部を前記ステムの上端部に装着した状態で前記押下ヘッドを押下して前記ステムを下方に移動させ前記ポンプを作動させることにより、前記内容物が移送されて前記押下ヘッドの吐出孔から吐出される吐出器であって、
前記装着キャップには、前記ステムの上端部を囲繞する囲繞筒部材が分離可能に設けられ、
前記押下ヘッドは、前記装着筒部が前記ステムの上端部から離脱した状態で前記囲繞筒部材に離脱可能に装着されていることを特徴とする吐出器。
【請求項２】
請求項１記載の吐出器であって、
前記囲繞筒部材は、有頂筒状に形成されると共に、その頂壁部が前記ステムの上端開口部を上方から覆っていることを特徴とする吐出器。
【請求項３】
請求項１又は２記載の吐出器であって、
前記押下ヘッドには、前記頂壁部から下方に向けて延設されると共に前記装着筒部を囲繞する周壁部が備えられ、
前記押下ヘッドは、前記周壁部が前記囲繞筒部材に離脱可能に装着されることで、前記囲繞筒部材に装着されることを特徴とする吐出器。
【発明の詳細な説明】
【技術分野】
【０００１】
本発明は、吐出器に関する。
【背景技術】
【０００２】
従来より、この種の吐出器として、例えば下記特許文献１に示されるように、内容物が収容された容器体の口部に装着される装着キャップと、装着キャップに上方付勢状態で下方移動可能に貫設されたステムを有するポンプと、頂壁部、及びこの頂壁部から下方に向けて延設されステムの上端部に装着された装着筒部を有する押下ヘッドと、を備え、押下ヘッドを押下してステムを下方に移動させポンプを作動させることにより、内容物が移送されて押下ヘッドの吐出孔から吐出される構成が知られている。
また、前記押下ヘッドには、押下ヘッド外周上部に嵌合した環状部、この環状部を縦断する一対の線状破断部で画成すると共にその内面を対応する押下ヘッド外面に凹凸係合させた摘み付きの切取部、及びこの切取部以外の環状部下面より垂設すると共に装着キャップに下端縁を当接係止させた脚部を有するカバー体が嵌着されている。
この吐出器によれば、流通段階においてカバー体が押下ヘッドに嵌着された状態で吐出器を扱うことで、衝撃や悪戯などによって押下ヘッドが押下されてしまうのを規制することが可能となり、内容物の予期せぬ吐出を抑制することができる。また、使用時には、切取部を取り除いた後に押下ヘッドを押下して内容物の吐出を行うので、未使用であるか否かを使用者が容易に判別することができる。
【先行技術文献】
【特許文献】
【０００３】
【特許文献１】特許第４０３０７４２号明細書
【発明の概要】
【発明が解決しようとする課題】
【０００４】
しかしながら、前記従来の吐出器では、装着筒部がステムの上端部に装着された状態で押下ヘッドにカバーが嵌着されているので、販売前の流通、保管時あるいは販売陳列時等に押下ヘッドに加えられた不意の外力が装着筒部を介してステムに伝達されることでステムが僅かに下方に移動し、カバーが嵌着された状態であっても内容物の予期せぬ吐出が生じる恐れがあった。
【０００５】
本発明は、上述した事情に鑑みてなされたものであって、その目的は、未使用であるか否かを使用者が容易に判別できると共に、流通段階での衝撃や悪戯などによる内容物の予期せぬ吐出を抑制することができる吐出器を提供することである。
【課題を解決するための手段】
【０００６】
前記課題を解決するために、本発明は以下の手段を提案している。
本発明の吐出器によれば、内容物が収容された容器体の口部に装着される装着キャップと、前記装着キャップに上方付勢状態で下方移動可能に貫設されたステムを有するポンプと、頂壁部、及びこの頂壁部から下方に向けて延設され前記ステムの上端部に装着される装着筒部を有する押下ヘッドと、を備え、前記装着筒部を前記ステムの上端部に装着した状態で前記押下ヘッドを押下して前記ステムを下方に移動させ前記ポンプを作動させることにより、前記内容物が移送されて前記押下ヘッドの吐出孔から吐出される吐出器であって、前記装着キャップには、前記ステムの上端部を囲繞する囲繞筒部材が分離可能に設けられ、前記押下ヘッドは、前記装着筒部が前記ステムの上端部から離脱した状態で前記囲繞筒部材に離脱可能に装着されていることを特徴とする。
【０００７】
前記吐出器によれば、押下ヘッドが前記囲繞筒部材に装着されていることから、押下ヘッドの下方に向けた移動を規制することが可能となり、販売前の流通、保管時あるいは販売陳列時等における衝撃や悪戯などによって押下ヘッドが押し下げられてステムが下方に移動してしまうのを規制することができる。しかも、装着筒部がステムの上端部から離脱されていることから、販売前の流通、保管時あるいは販売陳列時等に押下ヘッドに加えられた不意の外力が装着筒部を介してステムに伝達されるのを防ぐことが可能となり、流通段階での内容物の予期せぬ吐出を抑制することができる。
また、この吐出器の使用に際しては、まず、押下ヘッドを囲繞筒部材から離脱させると共に囲繞筒部材を装着キャップから分離させ、その後、押下ヘッドの装着筒部をポンプのステムの上端部に装着させる。従って、単に囲繞筒部材が装着キャップから分離されているか否かによってこの吐出器が未使用であるか否かが判別可能になるので、吐出器が未使用であるか否かを使用者が容易に判別することができる。
【０００８】
また、前記囲繞筒部材は、有頂筒状に形成されると共に、その頂壁部が前記ステムの上端開口部を上方から覆っていても良い。
【０００９】
この場合、囲繞筒部材の頂壁部がステムの上端開口部を上方から覆っているので、仮に流通段階において押下ヘッドを囲繞筒部材から離脱させた場合であっても、ステムの上端開口部を通して容器体内の内容物が改ざんされてしまうのを確実に防止することができると共に、ステム内に塵や埃が進入するのを防止することができる。
【００１０】
また、前記押下ヘッドには、前記頂壁部から下方に向けて延設されると共に前記装着筒部を囲繞する周壁部が備えられ、前記押下ヘッドは、前記周壁部が前記囲繞筒部材に離脱可能に装着されることで、前記囲繞筒部材に装着されても良い。
【００１１】
この場合、前記周壁部が囲繞筒部材に離脱可能に装着されることで押下ヘッドが囲繞筒部材に装着されているので、例えば、装着筒部が囲繞筒部材に装着されることで押下ヘッドが囲繞筒部材に装着される場合に比べて、販売前の流通、保管時あるいは販売陳列時等における衝撃や悪戯などに起因して装着筒部に力が伝わるのを抑制することが可能となり、使用者自身が内容物を吐出するときまで装着筒部の寸法変化や損傷の発生を防止することができる。従って、使用者による使用開始時に装着筒部とステムの上端部との間のシール性を確実に確保することが可能となり、このシール性が不足することに起因した内容物の漏出を抑制し且つ内容物の吐出量を安定したものとすることができる。
【発明の効果】
【００１２】
本発明に係る吐出器によれば、未使用であるか否かを使用者が容易に判別できると共に、流通段階での衝撃や悪戯などによる内容物の予期せぬ吐出を抑制することができる。
【図面の簡単な説明】
【００１３】
【図１】本発明の一実施形態に係る吐出器の部分縦断面図である。
【図２】図１に示す吐出器において、装着キャップから囲繞筒部材を分離した状態を示す図である。
【図３】図１に示す吐出器において、押下ヘッドを装着キャップに装着した状態を示す図である。
【発明を実施するための形態】
【００１４】
以下、本発明の一実施形態に係る吐出器を、図１から図３を参照して説明する。
図１に示すように、吐出器１は、内容物が収容された容器体２の口部２ａに装着される装着キャップ３と、装着キャップ３に上方付勢状態で下方移動可能に貫設されたステム４を有するポンプ５と、頂壁部６、及びこの頂壁部６から下方に向けて延設されステム４の上端部に装着される装着筒部７を有する押下ヘッド８と、を備えている。
【００１５】
なお、図示の例では、装着キャップ３、ステム４及び装着筒部７は、それぞれの中心軸線が共通軸上に位置された状態で配設されている。以下、この共通軸を軸線Ｏと称し、軸線Ｏに沿って装着キャップ３に対して押下ヘッド８が位置する側を上側、装着キャップ３に対して容器体２が装着される側を下側と称し、軸線Ｏに直交する方向を単に径方向と称する。
【００１６】
装着キャップ３は、中央部に円形の開口が形成された天壁部９と、天壁部９の外周縁部から下方に向けて延設されると共に内周面に雌ネジが形成された下筒部１０と、天壁部９の中央部から上方に向けて延設されると共に天壁部９の前記開口に連通された上筒部１１と、を備えている。この装着キャップ３は、外周面に雄ネジが形成された前記口部２ａを有する前記容器体２に装着される。
【００１７】
ポンプ５は、前記ステム４と、内部にステム４の下部が配設されたシリンダ１２と、を備えている。図示の例では、ステム４の上端は、装着キャップ３の上筒部１１の上端よりも上側に位置している。
また、図示の例では、シリンダ１２は、上方から下方に向けて段階的に縮径する多段の円筒状に形成されると共に軸線Ｏと同軸に配設されている。また、シリンダ１２の上端には、全周に亘ってフランジ部１３が径方向外側に向けて突設されており、このフランジ部１３が装着キャップ３の天壁部９の下面に固定されている。また、シリンダ１２の内部には、図示しないピストン部材および図示しない付勢部材が配設されており、これらのうちの付勢部材は、ステム４及び前記ピストン部材を上方付勢している。また、図示の例では、シリンダ１２の下端部内には、下方に向けて延びるパイプ部１４の上端部が嵌合されている。
【００１８】
そして、ポンプ５は、ステム４の下方への移動に連係して前記ピストン部材が上方付勢力に抗しシリンダ１２の内周面に摺接しつつ下降することにより、シリンダ１２内の内容物を圧縮してステム４の上端開口部４ａに向けてステム４内を流通させる構成となっている。更に、ステム４の下方への移動が終了すると、前記ピストン部材が前記付勢部材の上方付勢力によりシリンダ１２の内周面に摺接しつつ上昇することでシリンダ１２内が減圧され、容器体２内に収容されている内容物をシリンダ１２内にパイプ部１４を通して流入させる構成となっている。
【００１９】
装着キャップ３には、ステム４の上端部を囲繞する囲繞筒部材１５が分離可能に設けられている。図示の例では、囲繞筒部材１５は、有頂筒状に形成されると共に、装着キャップ３の上筒部１１の上方に軸線Ｏ方向に間隔をあけて軸線Ｏと同軸に配設されており、囲繞筒部材１５の下端縁と装着キャップ３の上筒部１１の上端縁とが、破断可能に形成された複数の破断部１６を介して連結されている。なお図示の例では、囲繞筒部材１５は全周にわたって連続して延在している。
破断部１６は、軸線Ｏ回りに間隔をあけて複数設けられている。破断部１６の肉厚は、囲繞筒部材１５及び装着キャップ３の上筒部１１それぞれの肉厚よりも薄肉になっている。なお、破断部１６は、全周にわたって延びる破断可能な薄肉部等に形成してもよい。
【００２０】
また、本実施形態では、囲繞筒部材１５の頂壁部１７は、ステム４の上端開口部４ａを上方から覆っている。図示の例では、囲繞筒部材１５の周壁部１８の上端は、ステム４の上端より上方に位置している。そして、前記頂壁部１７は、前記周壁部１８の上端から径方向内側に向けて延設されると共に軸線Ｏと同軸に配設された円環部１７ａと、円環部１７ａの開口周縁部から上方に向けて突出すると共に軸線Ｏと同軸に配設された有頂筒状の突出筒部１７ｂと、を備えている。
【００２１】
また、囲繞筒部材１５の周壁部１８の外周面には、軸線Ｏ方向に沿って延在する凹溝１８ａが、軸線Ｏ回りに間隔をあけて複数形成されている。図示の例では、これらの凹溝１８ａは、いずれも前記外周面においてその下端から軸線Ｏ方向の中間部分まで軸線Ｏ方向に沿って延在している。
また、本実施形態では、装着キャップ３、破断部１６及び囲繞筒部材１５は、一体に形成されている。
【００２２】
押下ヘッド８は、前記頂壁部６と、前記装着筒部７と、頂壁部６から下方に向けて延設されると共に装着筒部７を径方向の外側から囲繞する周壁部１９と、周壁部１９から径方向の外側に向けて突設され内部が装着筒部７内と連通すると共に先端に吐出孔２０ａが形成された筒状のノズル部２０と、を備えている。本実施形態では、装着筒部７は、内部にステム４の上端部が嵌合されることで、ステム４の上端に装着されるようになっている。
【００２３】
そして、本実施形態では、押下ヘッド８は、装着筒部７がステム４の上端部から離脱した状態で囲繞筒部材１５に離脱可能に装着されている。押下ヘッド８は、周壁部１９が囲繞筒部材１５に離脱可能に装着されることで、囲繞筒部材１５に装着されている。図示の例では、周壁部１９は、頂壁部６の外周縁部から下方に向けて延設されていると共に軸線Ｏと同軸に配設されており、内部に囲繞筒部材１５の上端部が嵌合されることで、囲繞筒部材１５に装着されている。
【００２４】
また、図示の例では、装着筒部７の下端は、周壁部１９の下端よりも上側に位置し、囲繞筒部材１５の頂壁部１７の円環部１７ａに当接している。更に、装着筒部７の下端部は、囲繞筒部材１５の頂壁部１７の突出筒部１７ｂを径方向の外側から囲繞している。
また、周壁部１９と装着筒部７との間には、径方向に沿った隙間があいている。図示の例では、周壁部１９の内径は、装着キャップ３の上筒部１１の外径よりも若干大きくなっていると共に、装着筒部７の外径は、前記上筒部１１の内径よりも小さくなっている。また、装着筒部７の内周面の上端部には、軸線Ｏ方向に沿って延在する複数の凸リブ２１が、軸線Ｏ周りに間隔をあけて突設されている。
【００２５】
次に、以上のように構成された吐出器１が装着された容器体２内の内容物を吐出する方法について説明する。
まず、この吐出器１の使用者は、押下ヘッド８の周壁部１９を指等で把持し、押下ヘッド８を上方に引き上げて囲繞筒部材１５から離脱させる。次いで、図２に示すように、使用者は、囲繞筒部材１５の周壁部１８を指等で把持し、破断部１６を破断しつつ囲繞筒部材１５を上方に引き上げて囲繞筒部材１５を装着キャップ３から分離させる。ここで、本実施形態では、囲繞筒部材１５の周壁部１８に複数の凹溝１８ａが形成されているので、破断部１６を破断する際に例えば囲繞筒部材１５を指で把持して軸線Ｏ回りに回転させる場合、指が滑りにくく破断部１６を容易に破断させることができる。
【００２６】
次いで、図３に示すように、使用者は、押下ヘッド８の装着筒部７内にポンプ５のステム４の上端部を嵌合させ、押下ヘッド８をポンプ５に装着させる。この際、図示の例では、装着筒部７内の凸リブ２１の下端にステム４の上端縁が当接するまで押下ヘッド８をステム４に押し込んで装着させる。これにより、装着筒部７内にステム４の上端部が液密に嵌合される。なお、図示の例では、押下ヘッド８がポンプ５に装着された状態の吐出器１では、周壁部１９及び装着筒部７間の隙間の下方に装着キャップ３の上筒部１１が位置している。
【００２７】
そして、使用者が、ポンプ５に装着された押下ヘッド８を押下することで、ステム４を下方に移動させポンプ５を作動させることにより、シリンダ１２内の内容物が、ステム４内、装着筒部７内およびノズル部２０内を移送されて押下ヘッド８の吐出孔２０ａから吐出される。
【００２８】
以上に示した吐出器１によれば、押下ヘッド８が囲繞筒部材１５に装着されていることから、押下ヘッド８の下方に向けた移動を規制することが可能となり、販売前の流通、保管時あるいは販売陳列時等における衝撃や悪戯などによって押下ヘッド８が押し下げられてステム４が下方に移動してしまうのを規制することができる。しかも、装着筒部７がステム４の上端部から離脱されていることから、販売前の流通、保管時あるいは販売陳列時等に押下ヘッド８に加えられた不意の外力が装着筒部７を介してステム４に伝達されるのを防ぐことが可能となり、流通段階での内容物の予期せぬ吐出を抑制することができる。
【００２９】
また、単に囲繞筒部材１５が装着キャップ３から分離されているか否かによってこの吐出器１が未使用であるか否かが判別可能になるので、吐出器１が未使用であるか否かを使用者が容易に判別することができる。
また、囲繞筒部材１５の頂壁部１７がステム４の上端開口部４ａを上方から覆っているので、仮に流通段階において押下ヘッド８を囲繞筒部材１５から離脱させた場合であっても、ステム４の上端開口部４ａを通して容器体２内の内容物が改ざんされてしまうのを確実に防止することができると共に、ステム４内に塵や埃が進入するのを防止することができる。
【００３０】
また、押下ヘッド８の周壁部１９が囲繞筒部材１５に離脱可能に装着されることで押下ヘッド８が囲繞筒部材１５に装着されているので、使用者自身が内容物を吐出するときまで装着筒部７の寸法変化や損傷の発生を防止することができる。従って、使用者による使用開始時に装着筒部７とステム４の上端部との間のシール性を確実に確保することが可能となり、このシール性が不足することに起因した内容物の漏出を抑制し且つ内容物の吐出量を安定したものとすることができる。
【００３１】
また、囲繞筒部材１５が装着キャップ３と一体に形成されているので、例えば囲繞筒部材１５が装着キャップ３と異なる別部材で形成されている場合に比べて、この吐出器１を容易に製造することができる。
【００３２】
なお、本発明の技術的範囲は前記実施形態に限定されるものではなく、本発明の趣旨を逸脱しない範囲において種々の変更を加えることが可能である。
例えば、前記実施形態では、吐出器１が装着された容器体２内の内容物を吐出するために押下ヘッド８をポンプ５に装着させるに際し、押下ヘッド８を囲繞筒部材１５から離脱させた後に、囲繞筒部材１５を装着キャップ３から分離させるものとしたが、これに限られるものではなく、押下ヘッド８が囲繞筒部材１５に装着された状態で囲繞筒部材１５を装着キャップ３から分離させた後、押下ヘッド８を囲繞筒部材１５から離脱させても良い。
【００３３】
また、前記実施形態では、装着筒部７は、内部にステム４の上端部が嵌合されることで、ステム４の上端部に装着されるものとしたが、これに限られるものではない。例えば、ステムの上端部の内部に装着筒部が嵌合されることでステムの上端部に装着されても良い。また、ステムの上端部と装着筒部とが螺着されることで装着筒部がステムの上端部に装着されても良い。
【００３４】
また、前記実施形態では、囲繞筒部材１５は、有頂筒状に形成されると共に、その頂壁部１７がステム４の上端開口部４ａを上方から覆っているものとしたが、これに限られるものではない。例えば、囲繞筒部材は、上方に向けて開口していても良い。また、囲繞筒部材が頂壁部を備える場合であっても、前記実施形態に示した頂壁部１７に限られるものではなく、例えば頂壁部は平板状であっても良い。
【００３５】
また、前記実施形態では、押下ヘッド８の周壁部１９内に囲繞筒部材１５が離脱可能に嵌合されることで、押下ヘッド８が囲繞筒部材１５に装着されるものとしたが、これに限られるものではない。例えば、押下ヘッドの周壁部と囲繞筒部材とが螺着されることで押下ヘッドが囲繞筒部材に装着されても良い。また、囲繞筒部材の頂壁部の突出筒部が装着筒部内に嵌合されることで、押下ヘッドが囲繞筒部材に装着されても良い。この場合、押下ヘッドの周壁部は無くても良い。
また、前記実施形態では、押下ヘッド８はノズル部２０を備えているものとしたが、ノズル部２０は無くても良い。
【００３６】
また、前記実施形態では、囲繞筒部材１５が装着キャップ３と一体に形成されているものとしたが、囲繞筒部材が装着キャップから分離可能であれば、これに限られるものではない。例えば、囲繞筒部材と装着キャップとを互いに別部材で形成した後、囲繞筒部材を装着キャップに分離可能に接着させても良い。また、囲繞筒部材と装着キャップとを一体に形成し、両者を破断部で連結する構成とした場合であっても、破断部は前記実施形態に示したものに限られない。
また、前記実施形態では、囲繞筒部材１５の周壁部１８の外周面に凹溝１８ａが形成されているものとしたが、凹溝１８ａは無くても良い。
また、前記実施形態では、囲繞筒部材１５として、全周にわたって連続して延在した構成を示したが、これに限らず例えば、軸線Ｏ方向に沿って延びる縦孔が軸線Ｏ回りに間隔をあけて複数形成された構成、あるいは軸線Ｏを挟んで互いに対向して配設された一対の板体からなる構成を採用してもよい。
【００３７】
また、ポンプ５は、ステム４の下方への移動により作動して内容物が移送されるものであれば、前記実施形態に示したものに限られない。
また、前記実施形態では、吐出器１として、装着筒部７内にステム４の上端部を嵌合した状態で押下ヘッド８を押下してステム４を下方に移動させポンプ５を作動させることにより、内容物が移送されて単に押下ヘッド８の吐出孔２０ａから吐出される構成を採用したが、これに限られるものではない。例えば、吐出器として、ポンプを作動させることにより移送された内容物と空気とを混合させ泡状にして吐出するフォーマポンプ式の構成や、霧化用のノズルチップが吐出孔２０ａに装着されたスプレー式の構成等にも適用可能である。
【００３８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００３９】
１  吐出器
２  容器体
３  キャップ
４  ステム
４ａ  ステムの上端開口部
５  ポンプ
６  押下ヘッドの頂壁部
７  装着筒部
８  押下ヘッド
１５  囲繞筒部材
１７  囲繞筒部材の頂壁部
１９  押下ヘッドの周壁部
２０ａ  吐出孔
【図１】
2010202202.tif 000003
【図２】
2010202202.tif 000004
【図３】
2010202202.tif 000005